(57)【要約】      （修正有）【課題】車椅子を必要とする障害児童、身体障害者及び高齢者が足用装具装着の状態で、又は足用装具を装着しない状態でも保温及び防寒効果や安心感が得られ、着脱が楽に行えると共に介助する人も着脱が容易に行える防寒ブーツを提供する。【解決手段】車椅子を必要とする障害児童、身体障害者及び高齢者が足用装具装着の状態において、あるいは足用装具を装着しない状態でも疲労感を増幅させることのないように軽く暖かい素材により保温及び防寒効果が得られ、後ろファスナー１つでの開閉を確保して足の出し入れを容易にした。歩行時の補助を目的としていないため滑り止めや足底を厚めの素材で固定することを要せず脱着後は折りたたんでの収納を可能にした。【選択図】図１
0003157749.tif 000002
【実用新案登録請求の範囲】
【請求項１】
車椅子を必要とする障害児童、身体障害者及び高齢者と介助をする人が脱着時の操作を容易に行うことを可能にした、足の甲や指など足用装具装着時において保護されない部分を保護するための安全性及び、防水、撥水効果を具備した、外見上は普通のブーツと変わらないサイズを有する後ろファスナー付き防寒ブーツ。
【請求項２】
車椅子を必要とする障害児童、身体障害者及び高齢者が足用装具装着時に足用装具の上から着用することで保温及び防寒効果や安心感が得られ、拘束感を軽減し快適に使用することを可能にした請求項１に記載の後ろファスナー付き防寒ブーツ。
【請求項３】
素材の性質や簡単な構造を利用することにより脱着後にコンパクトに折りたたんでの収納を容易にすることを可能にした請求項１乃至２に記載の後ろファスナー付き防寒ブーツ。
【考案の詳細な説明】
【技術分野】
【０００１】  本考案は、車椅子を必要とする障害児童、身体障害者及び高齢者で足用装具装着を必要とする方または足用装具を使用しない方のための保温及び防寒効果のあるブーツである。
【背景技術】
【０００２】  従来のブーツには車椅子を必要とする障害児童、身体障害者及び高齢者で足用装具装着を要する方に適した安全性や利便性を有し素材の性質も最適で構造も簡単でありながら外見上は従来のブーツと変わらない後ろファスナー付き防寒ブーツを目にすることがなかった。【０００３】  また障害児童、身体障害者用の靴製作を目的とした補助金の交付は受けられるが製作費用が高価格であり製作日数もかかるため実用面において問題があった。
【先行技術文献】
【特許文献】
【０００４】
【特許文献１】特開２００５−３１２７１６公報
【考案の概要】
【考案が解決しようとする課題】
【０００５】  本考案は前述の後ろファスナー付きにすることにより外見上は使用者においても介助する人や外出先で出会う一般の方々においても受け入れやすく、従来のブーツの形状及び構造で安全性を有し、着脱時の使用者及び介助する人の動作も負担が少なく、保温及び防寒を可能にした後ろファスナー付き防寒ブーツを提供する。【０００６】  図６は車椅子を必要とする障害児童、身体障害者及び高齢者の足型に合わせて製作するためニット素材やウレタン素材といった軽量で柔らかく暖かい素材の性質を利用したもので、美観を損なわないようファッション性も重視したものである。
【課題を解説するための手段】
【０００７】  安全性を確保するために表地はニット素材や、防水、撥水効果のあるウレタン、合皮、スエード素材等を使用することにより足用装具の装着の有無に拘わらず足を優しく包み込み、裏地は保温及び防寒効果を重視してボア生地等を使用する。図７のとおり装着時には足指、足の甲等の足用装具装着時に保護されない部分を保護することが可能となり、足用装具を使用しない時は防寒用ブーツとして使用できる。
【０００８】  着脱方法は膝下からかかとまでの１本の後ろファスナーにより履き口の開口が確保され後方からスムーズに足を入れることができ、ファスナーも上げ下げしやすいように裏地ボアのファスナー部分の周囲を削除し、金具部分に指をかけての上げ下げする操作が容易になる。
【０００９】  外見上違和感がなく受け入れやすい形状にする為には従来の市販されているブーツを見本に製作しなければならないが、足用装具を装着した状態でのブーツの形状及び構造はファスナーを前方や横に取り付けると不具合が生じるため開口部の確保のため後ろファスナーにすることで問題を解決し、外見も従来の市販のブーツと変わらず、足用装具を装着した状態での出し入れが容易になる。
【００１０】  さらに簡単な構造及び素材の性質により脱着後は切り替え部分により容易に折りたたんでの収納も可能になる。
【考案の効果】
【００１１】  本考案によれば足用装具を必要とする障害児童、身体障害者及び高齢者又は足用装具を必要としない車椅子利用の方々への保温及び防寒効果を有するブーツの提供が可能になり、着脱操作も容易でファッション性にも優れ履き心地も良好な後ろファスナー付き防寒ブーツが得られる。
【図面の簡単な説明】
【００１２】
【図１】本考案による後ろファスナー付き防寒ブーツの斜視図である。
【図２】本考案による図１に示された後ろファスナー付き防寒ブーツの正面図である。
【図３】本考案による図１に示された後ろファスナー付き防寒ブーツの背面図である。
【図４】本考案による図３に示された後ろファスナー付き防寒ブーツの後ろ開口部を確保した参考図である。
【図５】本考案による図１に示された後ろファスナー付き防寒ブーツを折りたたんだ状態の参考図である。
【図６】足用装具装着時に後ろファスナー付き防寒ブーツをはいた状態の参考図である。
【考案を実施するための形態】
【００１３】  図１乃至図６は本考案の後ろファスナー付き防寒ブーツの実施形態を示したものである。
【００１４】  軽量で保温及び防寒効果のあるニット素材を複数種類使用することにより、保温及び防寒効果を増幅することを可能にし、厚みが生じた分は図１乃至図２のとおりマチを付けることにより従来の市販のブーツに近くなり足用装具装着時においても広さと高さを確保することが可能になる。
【００１５】  足首切り替え部分から脚部分とを分ける事により後ろファスナー付き防寒ブーツを折りたたんでの収納が可能になる。
【００１６】  図１乃至図５のとおり正面脚部分全体を長めにしている為、履き口部分を折り曲げ、裏地のボア生地を見せることが可能となりファッション性を重視した構造になる。
【符号の説明】
【００１７】１  後ろファスナー付き防寒ブーツ本体
２  きりかえ部分
３  マチ
４  側面脚部分
５  正面脚部分
６  脚部分
７  履き口
【図１】
0003157749.tif 000003
【図２】
0003157749.tif 000004
【図３】
0003157749.tif 000005
【図４】
0003157749.tif 000006
【図５】
0003157749.tif 000007
【図６】
0003157749.tif 000008
【手続補正書】
【提出日】平成21年12月4日(2009.12.4)
【手続補正１】
【補正対象書類名】実用新案登録請求の範囲
【補正対象項目名】全文
【補正方法】変更
【補正の内容】
【実用新案登録請求の範囲】
【請求項１】
車椅子を必要とする障害児童、身体障害者及び高齢者用ブーツにおいて、後ろに踵から膝裏まで垂直にファスナーを取り付けた後ろファスナー付き防寒ブーツ。
【請求項２】
後ろに取り付けたファスナー開閉金具部分の周囲の裏地ボアが削除されている、請求項１に記載の後ろファスナー付き防寒ブーツ。
【請求項３】
表地はニット素材やウレタン、合皮、またはスエード素材を使用し、裏地はボア生地を使用し、足の底と平部分に足の外形に沿って縫い目を施し、足首から膝までの筒部分は正面部分と左右脇から後ろファスナー部分までを３枚接ぎとして、折りたたみを可能にした請求項１または２に記載の後ろファスナー付き防寒ブーツ。